(57)【要約】【課題】仕切りパットを不要にし、外観等を損なわずに梱包品本体の保持パットを支えて収容できる段ボール製の個装箱を提供する。【解決手段】底面板１ａに連なる前後の側面板１ｂ，１ｃを上向きに折り曲げて前後の側面板に連なる左右の折曲片を内向きに折り曲げ、底面板に連なる左右の外側面板１ｆ，１ｇを上向きに折り曲げると共に、左右の外側面板に連なる左右の内側面板１ｈ，１ｉを下向きに折り返して、左右の外側面板と左右の内側面板とで左右の折曲片を挟むことにより、上部に梱包品本体Ｗの保持パット２が収容される箱体１１を形成した段ボール製の個装箱１において、左右の内側面板１ｈ，１ｉを部分的に箱体１１の内側へ折り込んで保持パット２を支える折り込み支持片１ｔを形成する。これにより仕切りパットを不要にしてコストダウンを図り、外観等を損なわずに折り込み支持片１ｔで保持パット２を支えて収容する。【選択図】図１
2009102030.tif 000002
【特許請求の範囲】
【請求項１】
底面板に連なる前後の側面板を上向きに折り曲げて、前後の側面板に連なる左右の折曲片を内向きに折り曲げ、底面板に連なる左右の外側面板を上向きに折り曲げると共に、左右の外側面板に連なる左右の内側面板を下向きに折り返して、左右の外側面板と左右の内側面板とで左右のフラップ折曲片を挟むことにより、上部に梱包品本体の保持パットが収容される箱体を形成した段ボール製の個装箱において、
上記左右の内側面板を部分的に箱体の内側へ折り込んで上記保持パットを支える折り込み支持片を形成したことを特徴とする個装箱。
【請求項２】
上記左右の内側面板の両端下部を箱体の内側へ折り込んで上記折り込み支持片を形成したことを特徴とする請求項１に記載の個装箱。
【請求項３】
上記折り込み支持片の折り込み角度が３０〜６０°であることを特徴とする請求項２に記載の個装箱。
【請求項４】
上記折り込み支持片の先端を延長して上記前後の側面板に当接させたことを特徴とする請求項２又は請求項３に記載の個装箱。
【請求項５】
上記左右の内側面板とその両端下部の上記折り込み支持片との境界線に沿って、鉤形の切り溝を形成したことを特徴とする請求項２ないし請求項４のいずれかに記載の個装箱。
【請求項６】
上記左右の内側面板の下端に突出部を形成すると共に、上記底面板と上記左右の外側面板との折り線の内側にスリットを形成し、このスリットに上記突出部を嵌め込んだことを特徴とする請求項１ないし請求項５のいずれかに記載の個装箱。
【発明の詳細な説明】
【技術分野】
【０００１】
本発明は、梱包品本体を保持パットに保持させて上部空間に収容し、その付属品を下部空間に収容する段ボール製の個装箱に関し、特に、仕切りパットを設けないで保持パットを支持できるように改良した個装箱に関する。
【背景技術】
【０００２】
従来より、ＰＮＤ（ポータブルナビゲーションデバイス）などの梱包品を収容する段ボール製の個装箱は、輸送時などの振動によりＰＮＤの本体と付属品が接触して破損するのを防止するため、個装箱の下部空間にＰＮＤの付属品を収容し、この付属品を覆うように仕切りパットを設置すると共に、この仕切りパットに載置した保持パットにＰＮＤの本体を保持させて個装箱の上部空間に収容している。
【０００３】
一方、被梱包物を収納する梱包箱の各側面の底部に接するコーナー部に、梱包箱の内側に折り返し可能な折曲片を形成する切欠線を設け、梱包箱の内側に折り返した折曲片に、被梱包物の下部前後を保護する下側前後緩衝体を載置することにより、梱包箱の下方に被梱包物の付属品を収納する空間を形成した梱包装置が知られている（特許文献１）。
【０００４】
また、上部が開口したトレー容器状の段ボール製緩衝体であって、角筒状に形成された周壁を底面の周囲に配し、周壁内側の４つのコーナー部に、底面板に設けられた切込片を折曲して形成され周壁に設けられた差込孔に挿通させて支持する差込片を有する三角柱状部材を配した段ボール製緩衝体も知られている（特許文献２）。
【特許文献１】実開平５−３４１６８号公報
【特許文献２】特開平９−１３２２７６号公報
【発明の開示】
【発明が解決しようとする課題】
【０００５】
しかしながら、前述した従来の個装箱のように、内部に仕切りパットを設けると、その分だけ部品点数および組立工数が多くなり、コスト高になるという問題があった。また、個装箱の下部空間に付属品を収容する際、後から設置される仕切りパットの邪魔にならないように付属品を収容しなければならないため、付属品の収容作業がし辛いという問題もあった。
【０００６】
これに対し、前記特許文献１の梱包装置のように、梱包箱の各側面の底部に接するコーナー部に、梱包箱の内側へ鉤形に折り返した折曲片を設け、この鉤形の折曲片に被梱包物の下側前後緩衝体を載置して、その下方に付属品の収納空間を形成すると、上記の仕切りパットに相当するものが不要となる。けれども、梱包箱のコーナー部に内側へ折り返した鉤形の折曲片を設けると、梱包箱の外観が損なわれる上に、コーナー部の強度も低下するため、二重梱包して出荷せざるを得なくなり、梱包費が却って高くなるという問題があった。しかも、梱包箱のコーナー部を内側へ鉤形に折り返す作業は容易でなく、折り目も付けにくいため、梱包箱の組立作業性が低下するという問題もあった。
【０００７】
また、前記特許文献２の段ボール製緩衝体のように、底面板の四隅に切込片を形成し、これを折曲して三角柱状部材を周壁の内側の４つのコーナー部に設けると、底面板の四隅の切込片を形成した部分に穴があいて外観が損なわれるため、この段ボール製緩衝体の技術を個装箱に応用しても、上記と同様に二重梱包せざるを得なくなり、梱包費が高くなるという問題があった。
【０００８】
本発明は上記事情の下になされたもので、その解決しようとする課題は、仕切りパットを不要にし、外観等を損なうことなく梱包品本体の保持パットを支えて上部空間に収容できる、段ボール製の個装箱を提供することにある。
【課題を解決するための手段】
【０００９】
上記課題を解決するため、本発明に係る個装箱は、底面板に連なる前後の側面板を上向きに折り曲げて、前後の側面板に連なる左右の折曲片を内向きに折り曲げ、底面板に連なる左右の外側面板を上向きに折り曲げると共に、左右の外側面板に連なる左右の内側面板を下向きに折り返して、左右の外側面板と左右の内側面板とで左右の折曲片を挟むことにより、上部に梱包品本体の保持パットが収容される箱体を形成した段ボール製の個装箱において、上記左右の内側面板を部分的に箱体の内側へ折り込んで上記保持パットを支える折り込み支持片を形成したことを特徴とするものである。
【００１０】
本発明の個装箱においては、上記左右の内側面板の両端下部を箱体の内側へ折り込んで折り込み支持片を形成することが好ましく、この折り込み支持片の折り込み角度を３０〜６０°にすることが好ましい。そして、この折り込み支持片の先端を延長して箱体の前後の側面板に当接させることが好ましい。また、左右の内側面板とその両端下部の折り込み支持片との境界線に沿って、鉤形の切り溝を形成することも好ましい。更に、左右の内側面板の下端に突出部を形成すると共に、底面板と左右の外側面板との折り線の内側にスリットを形成し、このスリットに突出部を嵌め込むことも好ましい。
【発明の効果】
【００１１】
本発明の個装箱のように、左右の内側面板を部分的に箱体の内側へ折り込んで保持パットを支える折り込み支持片を形成すると、梱包品の付属品を箱体の下部空間に収容し、その上に従来の仕切りパットを設けないで、梱包品本体を保持した保持パットを折り込み支持片に直接支持させて箱体の上部空間に収容することができる。従って、仕切りパットが不要となる分だけ、部品点数および組立工数が少なくなり、コストダウンを達成することができる。しかも、折り込み支持片を左右の内側面板に形成することによって、箱体の前後の側面板、左右の外側面板、底面板などに穴があかないようにしているので、外観を損なったり強度の低下を招くことがなく、二重梱包も不要となる。また、仕切りパットが不要になると、仕切りパットの邪魔にならないように付属品を収容する必要がなくなるので、付属品の収容作業がし易くなる。そして、保持パットが従来の仕切りパットの役目を兼ねて梱包品本体と付属品を上下に仕切るため、輸送時の振動で梱包品本体と付属品が接触して破損する心配も生じない。
【００１２】
本発明の個装箱において、左右の内側面板の両端下部を箱体の内側へ折り込んで折り込み支持片を形成したものは、これらの折り込み支持片が箱体の四隅の内側に位置するため、付属品の収容を妨げる心配がなく、これらの折り込み支持片によって保持パットの四隅部分を安定良く支持することができる。特に、折り込み支持片の折り込み角度を３０〜６０°とし、折り込み支持片の先端を延長して個装箱の前後の側面板に当接させたものは、折り込み支持片が３０〜６０°の角度で折り込まれた状態のまま固定され、折り込み前の状態に戻ることがないため、保持パットの四隅部分を安定良く確実に支持することができる。尚、折り込み支持片の最適な折り込み角度は、後述する実施形態のように４５°である
【００１３】
また、左右の内側面板とその両端下部の折り込み支持片との境界線に沿って、鉤形の切り溝を形成したものは、折り込み支持片の折り込み作業がし易くなる利点があり、更に、左右の内側面板の下端に形成した突出部を、底面板と左右の外側面板との折り線の内側に形成したスリットに嵌め込んだものは、内側面板が箱体の内側に開いて箱体が展開するのを防止できる利点がある。
【発明を実施するための最良の形態】
【００１４】
以下、図面を参照して本発明の具体的な実施形態を詳述する。
【００１５】
図１は本発明の一実施形態に係る個装箱とその内部に収容される保持パットの分解斜視図、図２は同個装箱の展開図、図３〜図６は同個装箱の組立手順（折上げ手順）を説明する斜視図、図７は天面部を閉じる前の同個装箱の平面図、図８は図６のＡ−Ａ線拡大断面図、図９は保持パットの展開図である。
【００１６】
この個装箱１は、図２に示すような展開図の段ボール１０を折上げて製作されるものであって、図１、図８に示すように、例えばＰＮＤ本体などの梱包品本体Ｗが保持パット２に保持されて個装箱１の上部空間に収容されるようになっており、ＰＮＤアンテナ、ＡＣ電源用バッテリ、充電用コネクタ、車載用スタンドなどの付属品（不図示）が個装箱１の下部空間に収容されるようになっている。
【００１７】
図２に示す段ボール１０から個装箱１を折上げる手順を説明すると、まず、図３に示すように、方形の底面板１ａに連なる前後の側面板１ｂ，１ｃを上向きに９０°折り曲げ、この側面板１ｂ，１ｃに連なる左右の折曲片１ｄ，１ｄ，１ｅ，１ｅをそれぞれ内向きに９０°折り曲げる。そして、底面板１ａに連なる左右の外側面板１ｆ，１ｇを上向きに９０°折り曲げると共に、これらの外側面板１ｆ，１ｇに連なる左右の内側面板１ｈ，１ｉを下向きに１８０°折り返し、左右の外側面板１ｆ，１ｇと左右の内側面板１ｈ，１ｉとで上記折曲片１ｄ，１ｄ，１ｅ，１ｅを挟むことによって、梱包品本体Ｗの保持パット２が上部に収容される図１，図４，図７に示すような天面板１ｐが開いた状態の箱体１１を折上げる。
【００１８】
下向きに１８０°折り返した左右の内側面板１ｈ，１ｉの下端（展開状態では先端）には、図２，図３に示すように突出部１ｊ，１ｋが形成されており、これに対応して、底面板１ａと左右の外側面板１ｈ，１ｉとの折り線Ｌ１，Ｌ１の内側にスリット１ｍ，１ｎが形成されている。そして、このスリット１ｍ，１ｎに左右の内側面板１ｈ，１ｉの下端の突出部１ｊ，１ｋが嵌め込まれて、内側面板１ｈ，１ｉが箱体の内側へ開かないように固定されている。
【００１９】
また、下向きに１８０°折り返した左右の内側面板１ｈ，１ｉは、部分的に箱体の内側へ折り込まれて、保持パット２を支える折り込み支持片１ｔが形成されている。この実施形態の個装箱１では、図２，図３に示すように、左右の内側面板１ｈ，１ｉの両端下部（展開状態では両端外側部）に合計４つの折り込み支持片１ｔが形成されており、図１，図４，図７に示すように、それぞれの折り込み支持片１ｔが箱体１１の四隅の内側に折り込まれて、図８に示すように保持パット２の四隅部分を下方から支えるようになっている。このように、各折り込み支持片１ｔが箱体１１の四隅の内側に折り込まれていると、付属品を箱体１１の下部空間に収容するときに、折り込み支持片１ｔが邪魔になって付属品の収容が妨げられる心配は皆無に等しくなる。
【００２０】
各折り込み支持片１ｔは、この実施形態の個装箱１では、最適な４５°の折り込み角度とされ、且つ、各折り込み支持片１ｔの先端を延長して箱体１１の前後の側面板１ｂ，１ｃに当接されている。このように各折り込み支持片１ｔの先端が前後の側面板１ｂ，１ｃに当接していると、各折り込み支持片１ｔが４５°の角度で折り込まれた状態のまま固定され、折り込み前の状態に戻ることがないため、保持パット２の四隅部分が折り込み支持片１ｒから外れることなく確実に支持されるようになる。
【００２１】
各折り込み支持片１ｔの折り込み角度は上記のように４５°が最適であるが、３０〜６０°の範囲内であれば十分である。折り込み角度が３０°より小さい場合や、６０°より大きい場合は、保持パット２の四隅部分が折り込み支持片１ｔの上端から外れやすくなって、保持パット２が落下する心配も生じるが、上記のように３０〜６０°の折り込み角度であれば、そのような心配がなく確実に保持パット２を支えることができる。
【００２２】
各折り込み支持片１ｔの折り込み長さは特に制限されないが、あまり長すぎると、折り込み支持片１ｔが箱体１１の内側へ大きく突き出して付属品収容の妨げとなる心配があり、逆に、あまり短すぎると、保持パット２の四隅部分が折り込み支持片から外れ易くなるので、２０〜７０ｍｍ程度とするのが好ましい。
【００２３】
また、図２，図３に示すように、左右の内側面板１ｈ，１ｉとその両側下部の折り込み支持片１ｔとの境界線Ｌ２に沿って、鉤形の切り溝１ｕを形成することが好ましく、このような切り溝１ｕが形成されていると、折り込み支持片１ｔの折り込み作業がし易くなる利点がある。
【００２４】
この個装箱１は、上記のように、左右の内側面板１ｈ，１ｉの両端下部の折り込み支持片１ｔを箱体１１の四隅の内側へ折り込み、箱体１１の下部空間に付属品を収容した後、梱包品本体Ｗを保持した保持パット２の四隅部分を折り込み支持片１ｔに支持させて箱体１１の上部空間に収容し、図５に示すように、天面板１ｐの左右のフラップ１ｑ，１ｑを箱体１１の左右の内側面板１ｈ，１ｇと保持パット２の間に挿入しながら、天面板１ｐを前方に９０°折り曲げて箱体１１に蓋をすると共に、図６に示すように、天面板１ｐに連なる前面板１ｒを下方に９０°折り曲げながら、前面板１ｒに連なる左右の小フラップ１ｓ，１ｓを、左右の外側面板１ｆ，１ｇと前記折曲片１ｄ，１ｄとの間に挿入して、梱包品本体Ｗと付属品を梱包するものである。
【００２５】
このように、本発明の個装箱１は、従来の仕切りパットを設けないで、箱体１１の下部空間に付属品を収容し、梱包品本体Ｗを保持した保持パット２を折り込み支持片１ｔに直接支持させて箱体１１の上部空間に収容できるため、仕切りパットが不要になる分だけ部品点数および組立工数が少なくなってコストダウンを達成することが可能となり、付属品の収容作業も容易となる。しかも、折り込み支持片１ｔを左右の内側面板１ｈ，１ｉに形成して、箱体１１の前後の側面板１ｂ，１ｃや、左右の外側面板１ｆ，１ｇや、底面板１ａなどに穴があかないようにしたので、外観を損なったり強度の低下を招くことがなく、二重梱包も不要となる。また、保持パット２が従来の仕切りパットの役目を兼ねて梱包品本体Ｗと付属品を上下に仕切るため、輸送時の振動で梱包品本体Ｗと付属品が接触して破損する心配も生じない。
【００２６】
梱包品本体Ｗを保持する保持パット２は、図９に示すような展開図の段ボール２０を次の手順で折上げて製作されるものである。即ち、天面部２ａの両側に連なる側面部２ｂ，２ｃを下向きに９０°折り曲げ、側面部２ｃに連なる底面部２ｄを天面部２ａの下側へ９０°折り曲げ、底面部２ｄに連なる側面部２ｅを上向きに９０°折り曲げて側面部２ｂに重ね、側面部２ｂの突出部２ｆを９０°折り曲げて側面部２ｅのスリット２ｇに差し込み、天面部２ａに形成した４つの折り込み片２ｈ，２ｉ，２ｊ，２ｋを下方へ９０°折り込んで梱包品本体Ｗを収容保持する方形の開口部２ｍ（図１を参照）を形成し、各折り込み片の下端の突出部２ｎ，２ｐ，２ｑ，２ｒを底面部２ｄの穴２ｓ，２ｔ，２ｕ，２ｖに嵌め込んで製作されたものである。尚、２ｗ，２ｘ，２ｙは、梱包品本体Ｗを簡単に取り出せるように指先を挿入する挿入穴である。
【００２７】
本発明の個装箱には、上記のような保持パット２が好ましく使用されるが、これに限定されるものではなく、箱体１１の上部空間にすっぽり嵌め込んで収容される方形の平面形状を有する保持パットであれば、どのような構造のものでも使用可能である。
【図面の簡単な説明】
【００２８】
【図１】本発明の一実施形態に係る個装箱とその内部に収容される保持パットの分解斜視図である。
【図２】同個装箱の展開図である。
【図３】同個装箱の組立手順（折上げ手順）を説明する斜視図である。
【図４】同個装箱の組立手順（折上げ手順）を説明する斜視図である。
【図５】同個装箱の組立手順（折上げ手順）を説明する斜視図である。
【図６】同個装箱の組立手順（折上げ手順）を説明する斜視図である。
【図７】、図７は天面部を閉じる前の同個装箱の平面図である。
【図８】図６のＡ−Ａ線拡大断面図である。
【図９】保持パットの展開図である。
【符号の説明】
【００２９】
１    個装箱
１ａ  底面板
１ｂ，１ｃ  底面板に連なる前後の側面板
１ｄ，１ｅ  前後の側面板に連なる左右の折曲片
１ｆ，１ｇ  底面板に連なる左右の外側面板
１ｈ，１ｉ  左右の外側面板に連なる左右の内側面板
１ｊ，１ｋ  突出部
１ｍ，１ｎ  スリット
１ｐ  天面板
１ｔ  折り込み支持片
１ｕ  鉤形の切り溝
２    保持パット
１１  箱体
Ｗ    梱包品本体
【図１】
2009102030.tif 000003
【図２】
2009102030.tif 000004
【図３】
2009102030.tif 000005
【図４】
2009102030.tif 000006
【図５】
2009102030.tif 000007
【図６】
2009102030.tif 000008
【図７】
2009102030.tif 000009
【図８】
2009102030.tif 000010
【図９】
2009102030.tif 000011